(57)【要約】  【課題】  ＡＶデータを視聴しながら他のＡＶデータを変換し、再生端末に転送する。  【解決手段】  レコーダ１は、記録媒体１０上のＡＶデータ１００のデコード手段をデコード部１２及びデコード部１４の２系統有する。デコード部１２でデコードされたＡＶデータ１００は、モニタ装置３に供給される。ＡＶデータ１００の転送要求があると、転送要求リストと予約録画リストに基づき策定されるスケジュールに従い、転送要求リストのＡＶデータ１００がデコード部１４及びエンコード部１５でデコード及びエンコードされＡＶデータ１０１に変換されて記録媒体１０に記録される。ＩＦ制御部１６により再生端末２の接続が検出されると、記録媒体１０上のＡＶデータ１０１が再生端末２に転送される。デコード部を２系統有するので、モニタ装置３でＡＶデータ１００を視聴しながら、他のＡＶデータ１００をＡＶデータ１０１へ変換できる。【選択図】  図２
2005176027.tif 000002
【特許請求の範囲】
【請求項１】
記録媒体に記録されたＡＶデータを他の機器に転送するようにしたデータ記録装置において、
ＡＶデータが記録される記録媒体と、
上記記録媒体から読み出された上記ＡＶデータをデコードする第１および第２のデコード手段と、
上記第２のデコード手段でデコードされた上記ＡＶデータをエンコードするエンコード手段と、
他の機器と通信を行うための通信手段と
を備え、
上記エンコード手段でエンコードされたＡＶデータを上記通信手段で上記他の機器に転送するようにしたことを特徴とするデータ記録装置。
【請求項２】
請求項１に記載のデータ記録装置において、
上記エンコード手段は、上記デコードされたＡＶデータを上記他の機器で再生可能な形式にエンコードするようにしたことを特徴とするデータ記録装置。
【請求項３】
請求項１に記載のデータ記録装置において、
上記エンコード手段でエンコードされたＡＶデータは、上記記録媒体に記録され、上記他の機器への上記転送の際に、該記録媒体から読み出されることを特徴とするデータ記録装置。
【請求項４】
請求項３に記載のデータ記録装置において、
上記通信手段は、上記他の機器と通信可能か否かを検出し、検出の結果、通信可能であると判断されたら自動的に上記転送を開始するようにしたことを特徴とするデータ記録装置。
【請求項５】
請求項３に記載のデータ記録装置において、
上記記録媒体から読み出された上記ＡＶデータを上記第２のデコード手段でデコードし、デコードされたデータを上記エンコード手段でエンコードする処理は、上記転送を要求するＡＶデータを指定するリストに基づき行われることを特徴とするデータ記録装置。
【請求項６】
請求項５に記載のデータ記録装置において、
ユーザが上記記録媒体に記録された上記ＡＶデータの中から上記転送を要求するＡＶデータを指定するための入力手段をさらに備え、
上記リストは、上記入力手段による指定に基づくことを特徴とするデータ記録装置。
【請求項７】
請求項６に記載のデータ記録装置において、
上記記録媒体に記録された上記ＡＶデータそれぞれの嗜好度を求める嗜好度算出手段をさらに備え、
上記リストは、さらに、上記嗜好度算出手段により算出された上記嗜好度に基づくことを特徴とするデータ記録装置。
【請求項８】
請求項５に記載のデータ記録装置において、
上記記録媒体から上記ＡＶデータを読み出し、読み出された該ＡＶデータを上記第２のデコード手段により上記デコードし、上記エンコード手段により上記エンコードし、上記記録媒体へ記録する処理は、上記リストに基づき策定されたスケジュールに従って行うようにしたことを特徴とするデータ記録装置。
【請求項９】
請求項８に記載のデータ記録装置において、
上記スケジュールは、上記記録媒体に対して記録が予約された時間帯と、上記リストで指定される上記ＡＶデータの総再生時間とに基づき策定されることを特徴とするデータ記録装置。
【請求項１０】
請求項１に記載のデータ記録装置において、
ＡＶデータを一時的に記憶するバッファ手段をさらに有し、
上記エンコード手段でエンコードされたＡＶデータは、上記バッファ手段を介して上記通信手段に供給され、上記他の機器へ転送されることを特徴とするデータ記録装置。
【請求項１１】
請求項１０に記載のデータ記録装置において、
上記記録媒体から読み出された上記ＡＶデータを上記第２のデコード手段でデコードし、デコードされたデータを上記エンコード手段でエンコードする処理は、上記転送を要求するＡＶデータを指定するリストに基づき行われることを特徴とするデータ記録装置。
【請求項１２】
請求項１１に記載のデータ記録装置において、
ユーザが上記記録媒体に記録された上記ＡＶデータの中から上記転送を要求するＡＶデータを指定するための入力手段をさらに備え、
上記リストは、上記入力手段による指定に基づくことを特徴とするデータ記録装置。
【請求項１３】
請求項１２に記載のデータ記録装置において、
上記記録媒体に記録された上記ＡＶデータそれぞれの嗜好度を求める嗜好度算出手段をさらに備え、
上記リストは、さらに、上記嗜好度算出手段により算出された上記嗜好度に基づくことを特徴とするデータ記録装置。
【請求項１４】
記録媒体に記録されたＡＶデータを他の機器に転送するようにしたデータ転送方法において、
ＡＶデータが記録される記録媒体から上記ＡＶデータを読み出して第１のデコード手段でデコードするステップと、
上記記録媒体から上記ＡＶデータを読み出して第２のデコード手段でデコードするステップと、
上記第２のデコード手段でデコードされた上記ＡＶデータをエンコードするエンコードのステップと、
他の機器と通信を行うための通信のステップと
を備え、
上記エンコードのステップでエンコードされたＡＶデータを上記通信のステップで上記他の機器に転送するようにしたことを特徴とするデータ転送方法。
【請求項１５】
記録媒体に記録されたＡＶデータを他の機器に転送するようにしたデータ転送方法をコンピュータ装置に実行させるデータ転送プログラムにおいて、
上記データ転送方法は、
ＡＶデータが記録される記録媒体から上記ＡＶデータを読み出して第１のデコード手段でデコードするステップと、
上記記録媒体から上記ＡＶデータを読み出して第２のデコード手段でデコードするステップと、
上記第２のデコード手段でデコードされた上記ＡＶデータをエンコードするエンコードのステップと、
他の機器と通信を行うための通信のステップと
を備え、
上記エンコードのステップでエンコードされたＡＶデータを上記通信のステップで上記他の機器に転送するようにされている
ことを特徴とするデータ転送プログラム。
【請求項１６】
記録媒体に記録されたＡＶデータを他の機器に転送するようにしたデータ転送方法をコンピュータ装置に実行させるデータ転送プログラムが記録されたコンピュータ装置に読み取り可能な記録媒体において、
上記データ転送方法は、
ＡＶデータが記録される記録媒体から上記ＡＶデータを読み出して第１のデコード手段でデコードするステップと、
上記記録媒体から上記ＡＶデータを読み出して第２のデコード手段でデコードするステップと、
上記第２のデコード手段でデコードされた上記ＡＶデータをエンコードするエンコードのステップと、
他の機器と通信を行うための通信のステップと
を備え、
上記エンコードのステップでエンコードされたＡＶデータを上記通信のステップで上記他の機器に転送するようにされている
ことを特徴とする記録媒体。
【請求項１７】
記録媒体に記録されたＡＶデータを他の機器に転送するようにしたデータ転送システムにおいて、
ＡＶデータが記録される記録媒体と、
上記記録媒体から読み出された上記ＡＶデータをデコードする第１および第２のデコード手段と、
上記第２のデコード手段でデコードされた上記ＡＶデータをエンコードするエンコード手段と、
他の機器と通信を行うための第１の通信手段と
を有するデータ記録装置と、
上記第１の通信手段と通信可能な第２の通信手段と、
ＡＶデータを記憶する記憶手段と、
上記記憶手段から読み出された上記ＡＶデータをデコードする第３のデコード手段と
を有するデータ再生装置と
を備え、
上記データ記録装置は、上記エンコード手段でエンコードされたＡＶデータを上記第１の通信手段で転送し、上記データ再生装置は、該転送されたＡＶデータを上記第２の通信手段で受信して上記記憶手段に記憶するようにしたことを特徴とするデータ転送システム。
【請求項１８】
請求項１７に記載のデータ転送システムにおいて、
上記エンコード手段は、上記デコードされたＡＶデータを上記第３のデコード手段でデコード可能な形式にエンコードするようにしたことを特徴とするデータ転送システム。
【請求項１９】
請求項１７に記載のデータ転送システムにおいて、
上記エンコード手段でエンコードされたＡＶデータは、上記記録媒体に記録され、上記データ記録装置から上記データ再生装置への上記転送の際に、該記録媒体から読み出されることを特徴とするデータ転送システム。
【請求項２０】
請求項１９に記載のデータ転送システムにおいて、
上記第１の通信手段は、上記第２の通信手段と通信可能か否かを検出し、検出の結果、通信可能であると判断されたら自動的に上記転送を開始するようにしたことを特徴とするデータ転送システム。
【請求項２１】
請求項１９に記載のデータ転送システムにおいて、
上記記録媒体から読み出された上記ＡＶデータを上記第２のデコード手段でデコードし、デコードされたデータを上記エンコード手段でエンコードする処理は、上記転送を要求するＡＶデータを指定するリストに基づき行われることを特徴とするデータ転送システム。
【請求項２２】
請求項２１に記載のデータ転送システムにおいて、
上記データ記録装置は、
ユーザが上記記録媒体に記録された上記ＡＶデータの中から上記転送を要求するＡＶデータを指定するための入力手段をさらに備え、
上記リストは、上記入力手段による指定に基づくことを特徴とするデータ転送システム。
【請求項２３】
請求項２２に記載のデータ転送システムにおいて、
上記データ記録装置は、
上記記録媒体に記録された上記ＡＶデータそれぞれの嗜好度を求める嗜好度算出手段をさらに備え、
上記リストは、さらに、上記嗜好度算出手段により算出された上記嗜好度に基づくことを特徴とするデータ転送システム。
【請求項２４】
請求項２１に記載のデータ転送システムにおいて、
上記記録媒体から上記ＡＶデータを読み出し、読み出された該ＡＶデータを上記第２のデコード手段により上記デコードし、上記エンコード手段により上記エンコードし、上記記録媒体へ記録する処理は、上記リストに基づき策定されたスケジュールに従って行うようにしたことを特徴とするデータ転送システム。
【請求項２５】
請求項２４に記載のデータ転送システムにおいて、
上記スケジュールは、上記記録媒体に対して記録が予約された時間帯と、上記リストで指定される上記ＡＶデータの総再生時間とに基づき策定されることを特徴とするデータ転送システム。
【請求項２６】
請求項１７に記載のデータ転送システムにおいて、
上記データ記録装置は、
ＡＶデータを一時的に記憶するバッファ手段をさらに有し、
上記エンコード手段でエンコードされたＡＶデータは、上記バッファ手段を介して上記第１の通信手段に供給され、上記データ再生装置へ転送されることを特徴とするデータ転送システム。
【請求項２７】
請求項２６に記載のデータ転送システムにおいて、
上記記録媒体から読み出された上記ＡＶデータを上記第２のデコード手段でデコードし、デコードされたデータを上記エンコード手段でエンコードする処理は、上記転送を要求するＡＶデータを指定するリストに基づき行われることを特徴とするデータ転送システム。
【請求項２８】
請求項２７に記載のデータ転送システムにおいて、
上記データ記録装置は、
ユーザが上記記録媒体に記録された上記ＡＶデータの中から上記転送を要求するＡＶデータを指定するための入力手段をさらに備え、
上記リストは、上記入力手段による指定に基づくことを特徴とするデータ転送システム。
【請求項２９】
請求項２８に記載のデータ転送システムにおいて、
上記データ記録装置は、
上記記録媒体に記録された上記ＡＶデータそれぞれの嗜好度を求める嗜好度算出手段をさらに備え、
上記リストは、さらに、上記嗜好度算出手段により算出された上記嗜好度に基づくことを特徴とするデータ転送システム。
【発明の詳細な説明】
【技術分野】
【０００１】
この発明は、記録媒体に蓄積されたデータを他の機器に転送するようにしたデータ記録装置、データ転送方法、データ転送プログラムおよび記録媒体、ならびに、データ転送システムに関する。
【背景技術】
【０００２】
従来から、テレビジョン放送などに基づく映像データおよび音声データ（以下、ＡＶ(Audio/Video)データと呼ぶ）をハードディスクドライブ（ＨＤＤ）に記録するようにしたビデオレコーダが存在する。このようなビデオレコーダでは、例えば、チューナから出力されたアナログビデオ／オーディオ信号をディジタルビデオ／オーディオ信号に変換し、所定の方式で圧縮符号化処理を施した後、ＨＤＤに記録する。圧縮符号化方式としては、例えばＭＰＥＧ２(Moving Pictures Experts Group 2)方式が用いられる。
【０００３】
また、先頃本放送が開始されたディジタルテレビジョン放送においては、ＡＶデータがＭＰＥＧ  ＴＳ(Transport Stream)形式とされて送信される。この場合には、受信したＭＰＥＧ  ＴＳ形式のデータをそのままＨＤＤに記録することができる。ＨＤＤに記録されたＡＶデータを、記録可能とされたＤＶＤ(Digital Versatile Disc)にさらに記録する場合には、ＭＰＥＧ  ＴＳ形式のデータをＤＶＤプレーヤで再生可能なＭＰＥＧ  ＰＳ形式に変換すると、好ましい。特許文献１に、ＭＰＥＧ  ＴＳ形式のデータを記録媒体に記録しながらＭＰＥＧ  ＰＳ形式のデータに変換するようにした構成が記載されている。
【特許文献１】特開２００３−１１１０２３
【発明の開示】
【発明が解決しようとする課題】
【０００４】
近年では、容易に携帯可能なように極めて小型軽量に形成された筐体に、比較的大容量のメモリや小型のＨＤＤといった記憶媒体、カラー表示が可能なディスプレイや音声出力手段などを組み込み、メモリに記憶されたＡＶデータを再生して映像をディスプレイに映出し音声出力も可能とした情報機器が出現している。一例として、ＰＤＡ(Personal Digital Assistant)や、携帯電話端末が挙げられる。
【０００５】
このような情報機器は、本来の情報機器としての使用法に加えて、予め前日のテレビジョン放送のＡＶデータなどを内蔵の記憶媒体に記憶させておき、通勤時や外出先などで視聴するといった、再生端末装置としての使用法が考えられる。例えば、上述したようなビデオレコーダでテレビジョン放送を録画し、録画されたＡＶデータをこの情報機器に予め転送しておく。以下、このような情報機器を、再生端末装置と呼ぶ。
【０００６】
このような再生端末装置では、メモリ容量や映像データのデコード能力にある程度の限界がある。そのため、ビデオレコーダから再生端末装置にＡＶデータを転送する場合、ＡＶデータの圧縮符号化方式を、よりビットレートの低い圧縮符号化方式や、よりデコードが容易な圧縮符号化方式に変換する必要が生じる。
【０００７】
ところが、上述したような従来技術によるビデオレコーダでは、ＡＶデータを視聴しながら他のＡＶデータを変換するようになっていなかった。そのため、ユーザは、視聴中のＡＶデータと異なるＡＶデータを再生端末装置に転送する場合には、現在のＡＶデータの視聴が終了してから、または、現在のＡＶデータの視聴を終了させて、他のＡＶデータの転送を行うようにする必要があるという問題点があった。すなわち、従来では、ユーザは、再生端末装置に対するＡＶデータの転送を行うために、わざわざ時間を設ける必要があるという問題点があった。これは、ＡＶデータの変換に多大な時間を要するような場合に、特に問題となる。
【０００８】
また、従来技術によれば、ＡＶデータを再生端末装置に転送する際に、ユーザは、転送するＡＶデータを一々指定する必要があった。そのため、ビデオレコーダから再生端末装置に転送されたＡＶデータを例えば外出先などで視聴する際に、視聴可能なＡＶデータが限られ、融通が利かないという問題点があった。
【０００９】
したがって、この発明の目的は、ＡＶデータを視聴しながら他のＡＶデータを変換し、再生端末装置に転送することができるようなデータ記録装置、データ転送方法、データ転送プログラムおよび記録媒体、ならびに、データ転送システムを提供することにある。
【００１０】
また、この発明の別の目的は、ユーザの指定したＡＶデータの転送を行うと共に、ユーザが指定していないＡＶデータの転送も適宜、行えるようにしたデータ記録装置、データ転送方法、データ転送プログラムおよび記録媒体、ならびに、データ転送システムを提供することにある。
【課題を解決するための手段】
【００１１】
請求項１に記載の発明は、上述した課題を解決するために、記録媒体に記録されたＡＶデータを他の機器に転送するようにしたデータ記録装置において、ＡＶデータが記録される記録媒体と、記録媒体から読み出されたＡＶデータをデコードする第１および第２のデコード手段と、第２のデコード手段でデコードされたＡＶデータをエンコードするエンコード手段と、他の機器と通信を行うための通信手段とを備え、エンコード手段でエンコードされたＡＶデータを通信手段で他の機器に転送するようにしたことを特徴とするデータ記録装置である。
【００１２】
また、請求項１４に記載の発明は、記録媒体に記録されたＡＶデータを他の機器に転送するようにしたデータ転送方法において、ＡＶデータが記録される記録媒体からＡＶデータを読み出して第１のデコード手段でデコードするステップと、記録媒体からＡＶデータを読み出して第２のデコード手段でデコードするステップと、第２のデコード手段でデコードされたＡＶデータをエンコードするエンコードのステップと、他の機器と通信を行うための通信のステップとを備え、エンコードのステップでエンコードされたＡＶデータを通信のステップで他の機器に転送するようにしたことを特徴とするデータ転送方法である。
【００１３】
また、請求項１５に記載の発明は、記録媒体に記録されたＡＶデータを他の機器に転送するようにしたデータ転送方法をコンピュータ装置に実行させるデータ転送プログラムにおいて、データ転送方法は、ＡＶデータが記録される記録媒体からＡＶデータを読み出して第１のデコード手段でデコードするステップと、記録媒体からＡＶデータを読み出して第２のデコード手段でデコードするステップと、第２のデコード手段でデコードされたＡＶデータをエンコードするエンコードのステップと、他の機器と通信を行うための通信のステップとを備え、エンコードのステップでエンコードされたＡＶデータを通信のステップで他の機器に転送するようにされていることを特徴とするデータ転送プログラムである。
【００１４】
また、請求項１６に記載の発明は、記録媒体に記録されたＡＶデータを他の機器に転送するようにしたデータ転送方法をコンピュータ装置に実行させるデータ転送プログラムが記録されたコンピュータ装置に読み取り可能な記録媒体において、データ転送方法は、ＡＶデータが記録される記録媒体からＡＶデータを読み出して第１のデコード手段でデコードするステップと、記録媒体からＡＶデータを読み出して第２のデコード手段でデコードするステップと、第２のデコード手段でデコードされたＡＶデータをエンコードするエンコードのステップと、他の機器と通信を行うための通信のステップとを備え、エンコードのステップでエンコードされたＡＶデータを通信のステップで他の機器に転送するようにされていることを特徴とする記録媒体である。
【００１５】
また、請求項１７に記載の発明は、記録媒体に記録されたＡＶデータを他の機器に転送するようにしたデータ転送システムにおいて、ＡＶデータが記録される記録媒体と、記録媒体から読み出されたＡＶデータをデコードする第１および第２のデコード手段と、第２のデコード手段でデコードされたＡＶデータをエンコードするエンコード手段と、他の機器と通信を行うための第１の通信手段とを有するデータ記録装置と、第１の通信手段と通信可能な第２の通信手段と、ＡＶデータを記憶する記憶手段と、記憶手段から読み出されたＡＶデータをデコードする第３のデコード手段とを有するデータ再生装置とを備え、データ記録装置は、エンコード手段でエンコードされたＡＶデータを第１の通信手段で転送し、データ再生装置は、転送されたＡＶデータを第２の通信手段で受信して記憶手段に記憶するようにしたことを特徴とするデータデータ転送システムである。
【００１６】
上述したように、請求項１および請求項１４に記載の発明は、記録媒体から読み出されたＡＶデータをデコードする手段を第１のデコード手段および第２のデコード手段の２系統有し、第２のデコード手段でデコードされたＡＶデータをエンコードして他の機器に転送するようにしているため、記録媒体に記録されたＡＶデータを第１のデコード手段でデコードして視聴しながら、記録媒体に記録されたＡＶデータの第２のデコード手段によるデコードや、第２のデコード手段によりデコードされた後さらにエンコードされたＡＶデータの他の機器への転送を行うことができる。
【００１７】
また、請求項１５および請求項１６に記載の発明は、記録媒体から読み出されたＡＶデータを第１のデコード手段でデコードするステップと第２のデコード手段でデコードするステップとを有し、第２のデコード手段でデコードされたＡＶデータをエンコードして他の機器に転送するようにしているため、記録媒体に記録されたＡＶデータを第１のデコード手段でデコードして視聴しながら、記録媒体に記録されたＡＶデータの第２のデコード手段によるデコードや、第２のデコード手段によりデコードされた後さらにエンコードされたＡＶデータの他の機器への転送をコンピュータ装置に行わせることができる。
【００１８】
また、請求項１７に記載の発明は、記録媒体から読み出されたＡＶデータをデコードする手段を第１のデコード手段および第２のデコード手段の２系統有し、第２のデコード手段でデコードされたＡＶデータをエンコードして第１の通信手段でデータ再生装置に転送するデータ記録装置と、第１の通信手段と通信可能な第２の通信手段を有し、記憶手段から読み出されたＡＶデータを第３のデコード手段でデコードするようにしたデータ再生装置とからなり、データ記録装置は、エンコード手段でエンコードされたＡＶデータを第１の通信手段で転送し、データ再生装置は、転送されたＡＶデータを第２の通信手段で受信して記憶手段に記憶するようにしているため、データ記録装置では、記録媒体に記録されたＡＶデータの第２のデコード手段によるデコードや、第２のデコード手段によりデコードされた後さらにエンコードされたＡＶデータのデータ再生装置への転送を行うことができ、データ再生装置では、データ記録装置から転送されたＡＶデータを記憶手段から読み出してデコードし、視聴することができる。
【発明の効果】
【００１９】
この発明では、記録媒体から再生されたＡＶデータをデコードするするデコード部を２系統備え、そのうち１系統のデコード部でデコードされたＡＶデータを再度エンコードするエンコード部をさらに備えている。そのため、記録媒体から再生されたＡＶデータを視聴しながら、当該記録媒体に記録されているＡＶデータを他の機器に転送するために変換することができるという効果がある。
【００２０】
また、記録媒体から再生されたＡＶデータをデコードし、再度エンコードすることができるため、再生可能なＡＶデータの形式や記録ビットレートが異なる機器同士を接続し、ＡＶデータの転送を行うことができるという効果がある。
【００２１】
さらに、この発明では、記録媒体に記録されたＡＶデータを他の機器に転送するための変換処理を行う際に、ユーザが指定したＡＶデータに加えて、システムが嗜好度に基づいて選択したＡＶデータを変換するようにしている。そのため、ユーザのＡＶデータを選択および指定する手間が省ける。
【００２２】
さらにまた、この発明の実施の一形態では、他の機器に転送するためのＡＶデータの変換処理を、予約録画の入っていない時間帯を用いて行うようにしているため、記録媒体に対するアクセスを分散することができ、記録媒体への負担を軽くできるという効果がある。
【００２３】
また、この発明の実施の一形態では、転送するＡＶデータを予め変換して記録媒体に記録しておき、転送先の機器が接続されていることが検出されてから、変換され記録媒体に記録されたＡＶデータを転送するようにしている。そのため、変換されたＡＶデータのビットレートが転送に用いるディジタルインターフェイスのビットレート以上であっても、変換されたＡＶデータの転送が可能であるという効果がある。
【発明を実施するための最良の形態】
【００２４】
以下、この発明の実施の一形態を、図面を参照しながら説明する。図１は、この発明によるデータ転送システムの一例の構成を示す。図示されない放送局において、ＭＰＥＧ２方式で圧縮符号化されたＡＶデータと、放送用データとが多重化されたＭＰＥＧ  ＴＳが変調され放送される。放送用データは、この放送コンテンツに付随する、ＥＰＧ(Electronic Program Guide)データなどのコンテンツ記述のためのメタデータである。
【００２５】
ビデオレコーダ１は、チューナを有し、図示されない放送局から放送されたディジタルテレビジョン放送信号をアンテナ４で受信してチューナにより復調し、ＡＶデータと放送用データとが多重化されたＭＰＥＧ  ＴＳとして出力する。このＭＰＥＧ  ＴＳは、例えばハードディスクドライブ（ＨＤＤ）からなる記録媒体に記録される。また、復調されたＭＰＥＧ  ＴＳから放送用データが取り出され、ビデオレコーダ１が有する記録媒体やメモリに格納される。再生時には、記録媒体に記録されたデータが所定にデコード処理され、モニタ装置３に供給される。
【００２６】
なお、ビデオレコーダ１は、外部入力５として入力されたＡＶデータを同様にしてエンコード処理し、記録媒体に記録することができる。
【００２７】
ビデオレコーダ１は、ビデオレコーダ１が有する記録媒体に記録されたＡＶデータを、再生端末装置２に対応する方式でエンコード処理して記録媒体に記録することができる。エンコード処理されたＡＶデータは、所定にスケジューリングされて記録媒体から読み出され、再生端末装置２に対して転送される。再生端末装置２は、転送されたＡＶデータを、内蔵する記憶媒体に記憶する。記憶されたＡＶデータは、再生端末装置２に対する操作に応じて、適宜、再生され内蔵するディスプレイ装置や音声出力手段を用いて視聴される。
【００２８】
再生端末装置２としては、背景技術で説明したような、ＡＶデータの記憶および再生機能を有する携帯電話端末やＰＤＡを適用することができる。これに限らず、ＡＶデータの再生機能に特化したような携帯型のデータ再生装置を、再生端末装置２に適用することもできる。さらに、再生端末装置２は、携帯型の装置に限らず、ビデオレコーダ１のような、主に屋内で用いられる据置型の記録再生装置でもよいし、カーナビゲーション装置のような車載用の情報機器であってもよい。さらにまた、再生端末装置２は、必ずしもＡＶデータの再生機能を有している必要はなく、例えば、ＡＶデータの再生機能を有する機器に装着して用いられる記憶媒体に対してＡＶデータを記憶させるような装置でもよい。
【００２９】
なお、上述では、ビデオレコーダ１がディジタルテレビジョン放送信号を受信するように説明したが、これはこの例に限定されず、ビデオレコーダ１は、アナログ方式のテレビジョン放送信号を受信することもできる。この場合、受信されたテレビジョン放送信号が復調されたアナログＡＶ信号がＡ／Ｄ変換されてＡＶデータとされ、記録媒体に記録される。同様にして、外部入力５としてアナログＡＶ信号を入力するようにもできる。
【００３０】
図２は、この発明の実施の一形態によるビデオレコーダ１の一例の構成を示す。ディジタルテレビジョン放送信号がアンテナ４で受信され図示されないチューナ部で復調されたＭＰＥＧ  ＴＳは、映像入力／エンコード部１１で所定に入力処理されて、例えばハードディスクドライブからなる記録媒体１０に記録される。チューナ部の受信履歴や、チューナ部により受信され記録媒体に記録された履歴が視聴履歴として記録媒体１０に記録される。視聴履歴は、例えば、選局情報および視聴時間、ならびに、記録媒体１０への記録の有無を示す情報からなる。
【００３１】
また、外部入力５などによりアナログビデオ信号およびアナログオーディオ信号が入力された場合、映像入力／エンコード部１１において所定の信号処理を施され、エンコード処理されてＭＰＥＧ  ＴＳとされ、記録媒体１０に記録される。
【００３２】
なお、以下では、上述の、アンテナ４で受信されたディジタルテレビジョン放送信号が復調されて記録媒体１０に記録されたＭＰＥＧ  ＴＳに含まれるオーディオデータおよびビデオデータを、ＡＶデータ１００とする。ＡＶデータ１００は、例えば１つの放送番組のような、ディジタルテレビジョン放送をある時間帯で記録したデータに対応する。
【００３３】
なお、外部入力５から入力され記録媒体１０に記録されたＡＶデータも、同様にしてＡＶデータ１００として扱うことができる。
【００３４】
再生時には、例えば、ユーザによる後述するＵＩ(User Interface)に対する操作に応じて指定されたＡＶデータ１００が記録媒体１０から読み出され、デコード部１２に供給される。デコード部１２は、供給されたＡＶデータ１００をデコードしてアナログビデオ信号およびアナログオーディオ信号を出力する。デコード部１２から出力されたアナログビデオ／オーディオ信号は、ＡＶ出力部１３に供給され、所定に信号処理されてモニタ装置３に供給される。
【００３５】
この発明の実施の一形態では、記録媒体１０に記録されたＭＰＥＧ  ＴＳを、デコード部１４にも供給することができる。デコード部１４は、供給されたＭＰＥＧ  ＴＳをデコードしてアナログビデオ信号およびアナログオーディオ信号を出力する。デコード部１４から出力されたアナログビデオ／オーディオ信号は、エンコード部１５に供給され、所定の圧縮符号方式を用いてエンコードされ記録媒体１０に記録される。以下では、エンコード部１５でエンコードされたデータをＡＶデータ１０１とする。
【００３６】
エンコード部１５は、再生端末装置２でデコード可能な方式で圧縮符号化などのエンコード処理を行うようにされている。再生端末装置２が対応しているエンコード方式としては、例えば、ＭＰＥＧ１方式や、ＭＰＥＧ２方式よりもさらに高い圧縮率を実現可能なＭＰＥＧ４方式などが考えられる。また、クイックタイム（登録商標）といった、コンピュータ装置などで広く用いられる方式が用いられることも考えられる。この発明の実施の一形態では、エンコード部１５のエンコード方式は、例えば、ビデオレコーダ１に接続して用いられることが想定される再生端末装置２が対応する方式に固定的とされる。これに限らず、再生端末装置２に応じて選択可能とすることもできる。
【００３７】
ディジタルデータＩＦ制御部１６は、ビデオレコーダ１と再生端末装置２との間でなされるディジタルデータ転送の制御を行う。ディジタルデータＩＦ制御部１６は、さらに、ビデオレコーダ１に対して再生端末装置２が接続されたか否かを検出する機能を有する。例えば、ディジタルデータＩＦ制御部１６は、再生端末装置２に対する通信を定期的に試み、応答があった場合に、再生端末装置２の接続を検出する。これに限らず、後述するＣＰＵ(Central Processing Unit)１７からの命令により再生端末装置２との通信を試みて検出を行ってもよい。ビデオレコーダ１と再生端末装置２がディジタルデータＩＦ制御部１６を介して接続されていれば、記録媒体１０から読み出したＡＶデータ１０１を再生端末装置２に転送することができる。
【００３８】
ＣＰＵ１７は、図示されないバスなどによりビデオレコーダ１の各部と接続され、所定のプログラムに基づきこのビデオレコーダ１の全体を制御する。メモリ１８は、ＲＡＭ(Random Access Memory)およびＲＯＭ(Read Only Memory)からなり、ＲＡＭは、ＣＰＵ１７のワークメモリとして用いられる。ＲＯＭは、ＣＰＵ１７がビデオレコーダ１の全体の動作を制御するために用いるプログラムが予め記憶されている。このビデオレコーダ１は、プログラムに従い動作するＣＰＵ１７により全体が制御されることから、一種のコンピュータ装置と考えることができる。
【００３９】
なお、ＲＯＭを書き換え可能なものとして、外部から入手されたプログラムやデータをＲＯＭに書き込み、機能の追加や元のプログラムの更新を行うことができる。例えば、プログラムをＣＤ−ＲＯＭ(Compact Disc-Read Only Memory)やＤＶＤ(Digital Versatile Disc)に記録し、図示されないドライブ装置でこれらプログラムが記録されたディスクを再生して、プログラムの書き換えを行うことができる。ディジタルデータＩＦ制御部１６を用いてプログラムやデータをビデオレコーダ１に対して供給することも可能である。ディジタルデータＩＦ制御部１６にドライブ装置を接続することも考えられる。勿論、ビデオレコーダ１に対して、インターネットなど外部のネットワークと通信可能な他の通信手段を設け、外部のネットワークからプログラムやデータをダウンロードするようにしてもよい。
【００４０】
タイマ２１は、現在時刻を計測する。また、タイマ２１に対して時刻を設定し、設定された時刻になったら、タイマ２１からＣＰＵ１７に対して所定のトリガ信号を出力することができる。
【００４１】
操作部１９は、各種のボタンやスイッチ類、ならびに、簡易的な表示装置が配置され、ユーザがビデオレコーダ１を操作するためのＵＩを提供する。ユーザは、表示装置の表示などを参照しながら操作部１９の各種ボタンやスイッチ類を操作して、チューナに対する選局指示、受信された放送番組の記録媒体１０への記録指示、記録媒体１０に記録されたＡＶデータ１００、１００、・・・の再生指示などの指示を行う。また、タイマ２１を用いた予約録画の指示も、操作部１９から行うことができる。
【００４２】
再生端末装置２は、ディジタルデータＩＦ制御部１６と通信可能な通信手段を有し（図示しない）、ビデオレコーダ１から転送されたＡＶデータ１０１を通信手段により受信し、内蔵される記憶媒体２０に対して記憶する。記憶媒体２０は、例えば小型のＨＤＤや不揮発性の半導体メモリなどを用いることができる。また、再生端末装置２は、図示は省略するが、記憶媒体２０から読み出されたＡＶデータ１０１をデコードするデコード手段と、例えばＬＣＤ(Liquid Crystal Display)などを表示素子として用いる表示手段と、アナログオーディオ信号を増幅してスピーカやヘッドフォンに対して出力する音声出力手段とを有し、記憶媒体２０からＡＶデータ１０１を再生し、視聴することができるようにされている。
【００４３】
この発明の実施の一形態によるビデオレコーダ１は、記録媒体１０に記録されたＡＶデータ１００すなわちＭＰＥＧ  ＴＳをデコードするためのデコード手段を、デコード部１２およびデコード部１４の２系統、有している。そのため、ビデオレコーダ１は、記録媒体１０に記録されたＡＶデータ１００を読み出しモニタ装置３で視聴するための処理と、記録媒体１０に記録された他のＡＶデータ１００のＡＶデータ１０１への変換処理とを、並列的に行うことができる。
【００４４】
例えば、視聴のためのＡＶデータ１００と、ＡＶデータ１０１に変換するための他のＡＶデータ１００とを、時分割的に記録媒体１０から読み出すようにする。このとき、少なくとも視聴のためのＡＶデータ１００は、読み出されたデータの実際の再生時間より短い時間で記録媒体１０から読み出し、デコード時に実時間に伸長するようにする。なお、ＡＶデータ１０１に変換するための他のＡＶデータ１００は、実時間再生する必要が無いため、低速で読み出しても構わない。
【００４５】
また、再生端末装置２において、転送されたＡＶデータ１０１の記憶媒体２０への記憶速度は、ＡＶデータ１０１の再生の時間軸に対してリアルタイムである必要が無いので、ディジタルデータＩＦ制御部１６を介して転送されるＡＶデータ１０１の転送速度は、特に限定されず、例えばある程度遅くても構わない。転送速度を遅くした場合、転送が完了するまで長時間を要するが、記録媒体１０への負担を少なくできる。
【００４６】
さらに、ビデオレコーダ１と再生端末装置２とを接続するディジタルデータインターフェイスは、特に限定されない。例えば、ＵＳＢ(Universal Serial Bus)やＩＥＥＥ(Institute Electrical and Erectronics Engineers)１３９４などを用いてビデオレコーダ１と再生端末装置２とを接続することができる。さらにまた、有線に限らず、無線通信によってビデオレコーダ１と再生端末装置２とを接続することもできる。例えば、Ｂｌｕｅｔｏｏｔｈと称される無線通信規格を用いることができる。
【００４７】
さらにまた、この発明の実施の一形態では、記録媒体１０に記録されたＡＶデータ１００を再生端末装置２に転送するために、ＡＶデータ１００を一旦デコード部１４でデコードし、デコード部１４の出力を再度、エンコード部１５でエンコードしている。そのため、ビデオレコーダ１と再生端末装置２とで再生可能なＡＶデータの形式や記録ビットレートなどが異なっていても、ＡＶデータの転送が可能である。
【００４８】
以上のような構成において、受信されたディジタルテレビジョン放送に基づくＡＶデータ１００が記録媒体１０に記録されると、当該ＡＶデータ１００に対応する放送番組について、ＣＰＵ１７によって嗜好度が求められる。嗜好度は、例えば、当該放送番組のメタデータであるコンテンツ記述データに含まれるキーワードに対して、視聴履歴に基づき重み付けを行うことで求められる。また、ユーザが自身の嗜好に合致すると考えたキーワードを指定することで、当該キーワードに対して重み付けを行い嗜好度を求めることもできる。勿論、この２通りの方法を併用してもよい。記録媒体１０に記録されたＡＶデータ１００に対応するキーワードの値が、嗜好度として当該ＡＶデータ１００のメタデータに付与される。
【００４９】
既に概略的に説明したように、この発明の実施の一形態では、記録媒体１０に記録されたＡＶデータ１００をデコード部１４およびエンコード部１５の処理を介してＡＶデータ１０１に変換して記録媒体１０に記録する。さらに、記録媒体１０に記録されたＡＶデータ１０１をディジタルＩ／Ｆ制御部１６を介して再生端末装置２に転送する。以下、これらの処理についてより詳細に説明する。
【００５０】
先ず、ＡＶデータ１００をＡＶデータ１０１に変換する処理について、図３のフローチャートを用いて説明する。このフローチャートの処理に先立って、ユーザは、操作部１９によるＵＩを用いて、記録媒体１０に記録されているＡＶデータ１００、１００、・・・の中から、再生端末装置２に転送したいＡＶデータ１００を予め指定しておく。指定された内容は、リスト（リストＡとする）としてメモリ１８に記憶される。ステップＳ１０で、ＣＰＵ１７によりリストＡが取得される。
【００５１】
図４は、リストＡの一例を示す。ＡＶデータ１００、１００、・・・のそれぞれには、互いを識別するためのＩＤが付される。図４の例では、ユーザによってＩＤ＝「００００５」、ＩＤ＝「０００２０」およびＩＤ＝「００００７」の３つのＡＶデータ１００が転送要求されていることが分かる。嗜好度は、例えば「１」乃至「１０」の１０段階で示され、数値の大きい方が嗜好度が高い。変換フラグは、そのＡＶデータ１００が既にＡＶデータ１０１に変換されたことがあるか否かを示す。例えば、値が「０」で未変換、値が「１」で変換済みとされる。変換フラグは、例えば対応するＡＶデータ１００、１００、・・・のメタデータとして付与される。
【００５２】
次のステップＳ１１で、嗜好度が高く、且つ、未変換のＡＶデータ１００のリスト（リストＢとする）が作成される。図５は、リストＢの一例を示す。リストＢの項目は、リストＡと同一とされる。この図５の例では、嗜好度が５以上の値で嗜好度が高いものとされ、ＩＤ＝「００１１４」およびＩＤ＝「０３５２１」の２つのＡＶデータ１００が嗜好度が高く、且つ、未変換のデータであるとされる。作成されたリストＢは、メモリ１８に記憶される。
【００５３】
ステップＳ１２では、リストＡおよびリストＢがマージおよびソートされ、リストＣが作成される。ソートは、例えば、（１）ユーザが転送要求したデータ、（２）嗜好度の高いデータ、の順に行う。図６は、このようにして作成されたリストＣの一例を示す。作成されたリストＣは、メモリ１８に記憶される。
【００５４】
リストＣが作成されると、リストＣの順序に従い、ＡＶデータ１００、１００、・・・の変換が開始される。ステップＳ１３で、リストＣに記述されている全てのＡＶデータ１００の変換および記録が終了したか否かが判断される。未変換のデータがあると判断されたら、次のステップＳ１４で未変換のＡＶデータ１００が変換される。例えば、ＩＤ＝「０００２０」のＡＶデータ１００が記録媒体１０から読み出され、デコード部１４に供給されてデコードされ、アナログＡＶ信号に変換される。このアナログＡＶ信号がエンコード部１５に供給され、再生端末装置２が再生可能な方式でエンコード処理され、ＡＶデータ１０１として記録媒体１０に記録される。
【００５５】
このとき、変換元のＡＶデータ１００について、リストＣおよび当該ＡＶデータ１００のメタデータに付与されている変換フラグが「０」から「１」に変更される。１つのＡＶデータ１００の変換処理が終了したら、処理は再びステップＳ１３に戻される。リストＣの変換フラグが全て変換済みを示す値（「１」）になったら、一連の変換処理が終了される。
【００５６】
この発明の実施の一形態では、記録媒体１０から読み出されたＡＶデータ１００をデコードする手段を、デコード部１４およびデコード部１２の２系統、有している。そのため、デコード部１４を用いたこの図３の変換処理中でも、デコード部１２を用いることで、記録媒体１０に記録されたＡＶデータ１００の視聴が可能である。
【００５７】
なお、上述では、ユーザが指定したＡＶデータ１００に加え、嗜好度が高く、且つ、未変換のＡＶデータ１００とをＡＶデータ１０１に変換するようにしているが、これはこの例に限られず、変換するデータを、例えばユーザが指定したＡＶデータ１００だけに限定することもできる。
【００５８】
上述の図３に示す変換処理を起動するタイミングは、ビデオレコーダ１に対して予約録画が入っていない時間帯に行うと、記録媒体１０に対するアクセスが分散され、より好ましい。図７は、図３の変換処理を起動させる時刻を決めるための一例のアルゴリズムを示す。このアルゴリズムにより、変換処理の起動がスケジューリングされる。ステップＳ３０で、ＣＰＵ１７により録画予約リストＬｒｓｖが取得される。図８は、録画予約リストＬｒｓｖの一例を示す。このように、録画予約リストＬｒｓｖは、予約録画の開始時刻Ｔｂmおよび終了時刻Ｔｅmの組からなる。録画予約リストＬｒｓｖは、例えばメモリ１８に記憶されている。
【００５９】
次のステップＳ３１で、図３のステップＳ１２で作成されメモリ１８に記憶されたリストＣが参照され、転送が予定されるＡＶデータ１００、１００、・・・の総再生時間Ｔｐが算出される。この場合、総再生時間Ｔｐは、リストＣに基づき記録媒体１０から読み出されたＡＶデータ１００、１００、・・・がデコード部１４でデコードされ、さらにエンコード部１５でエンコードされ、記録媒体１０へ記録されるのに要する時間を指す。総再生時間Ｔｐは、例えば、リストＣ上のＡＶデータ１００、１００、・・・のデータ容量から見積もることが可能である。また、デコード部１４でのデコード処理を実再生時間で行うものとした場合、視聴履歴にＡＶデータの記録時間を記録しておけば、各ＡＶデータ１００、１００、・・・のＩＤに基づき視聴履歴を参照することで、総再生時間Ｔｐを求めることができる。
【００６０】
次のステップＳ３２およびステップＳ３３からなるループで、録画予約リストＬｒｓｖに基づき、録画が終了されてから次の録画が開始されるまでの時間が総再生時間Ｔｐよりも長いケースがあるか否かが判断される。ステップＳ３２で、カウンタ値ｎが初期値の０からループ毎に１ずつ、録画予約リストＬｒｓｖに基づく予約録画数ｍまでカウントアップされる。ステップＳ３３では、第ｎ番目の予約録画開始時刻Ｔｂnと第（ｎ−１）番目の予約録画終了時刻Ｔｅn-1との差分を求めて総再生時間Ｔｐと比較する処理を、ループ毎に行う。比較の結果、Ｔｂn−Ｔｅn-1＞Ｔｐとなるようなケースがあれば、ループを抜けて処理はステップＳ３４に移行し、Ｔｂn−Ｔｅn-1＞Ｔｐを満たす予約録画終了時刻Ｔｅn-1を、図３に示す変換処理の開始時刻とする。
【００６１】
こうして求められた予約録画終了時刻Ｔｅn-1がタイマ２１に対して設定される。タイマ２１が時刻Ｔｅn-1になったことを検出したら、タイマ２１は、ＣＰＵ１７に対してトリガ信号を出力する。ＣＰＵ１７は、このトリガ信号を受けて、図３を用いて説明したＡＶデータ１００の変換処理を開始する。
【００６２】
なお、Ｔｂn−Ｔｅn-1＞Ｔｐを満たすようなケースが存在しない場合も考えられる。この場合には、例えば操作部１９に設けられた表示装置にその旨示す警告通知を表示させるようにできる。これに限らず、例えばリストＣの下位側から転送予定のデータを１ずつ減らしながら順次、図７のステップＳ３１以下の処理を行い、変換処理の開始時刻を求めるようにできる。また、リストＣ上のユーザ指定によるデータに限定して再度、図７のステップＳ３１以下の処理を行い、変換処理の開始時刻を求めてもよい。さらに、上述に限らず、変換処理を複数の空き時間に分散させて行うようにしてもよい。
【００６３】
さらにまた、図３の変換処理は、実際の処理上のビットレート、すなわち予約録画による記録処理、ＡＶデータ１００の記録媒体１０からの読み出し処理および変換されたＡＶデータ１０１の記録媒体１０への記録処理それぞれのビットレートの合計が記録媒体１０に許容されているビットレートよりも低ければ、任意のタイミングで起動させることが可能である。この場合には、上述した図７のアルゴリズムによる計算を省略することができる。さらに、変換処理を自動起動せずに、ユーザがビデオレコーダ１のＵＩを用いて図３の変換処理の開始を指示することもできる。
【００６４】
図９は、上述の図３の処理に従い変換され記録媒体１０に記録されたＡＶデータ１０１を、ディジタルデータＩＦ制御部１６を介して再生端末装置２に転送する一例の処理を示す。この図９の処理に先立って、ディジタルデータＩＦ制御部１６により、再生端末装置２がディジタルデータＩＦ制御部１６に接続されているか否かが検出される。例えば、ディジタルデータＩＦ制御部１６において、定期的に再生端末装置２に対する通信が試みられ、応答があった場合に、再生端末装置２の接続が検出される。若し再生端末装置２が検出されなければ、この図９の処理は実行されない。
【００６５】
再生端末装置２がディジタルデータＩＦ制御部１６に接続されていることが検出されれば、ステップＳ２０からの転送処理が開始される。したがって、変換されたＡＶデータ１０１が記録媒体１０上にあれば、転送処理は、再生端末装置２がディジタルデータＩＦ制御部１６に接続された時点から開始することができる。リストＣに基づくＡＶデータ１００のＡＶデータ１０１への変換中に、転送処理を開始することも可能である。
【００６６】
ステップＳ２０で、変換されたＡＶデータ１０１のリスト（リストＤとする）が取得される。リストＤは、上述した図３の処理後のリストＣから取得することができる。リストＤが取得されると、次のステップＳ２１で、リストＤがソートされる。ソートは、例えば、（１）ユーザが転送要求したデータ、（２）嗜好度の高いデータ、の順に行う。
【００６７】
次のステップＳ２２およびステップＳ２３で、リストＤに記述されるＡＶデータ１０１、１０１、・・・が再生端末装置２に転送される。リストＤの順序に従い記録媒体１０からＡＶデータ１０１、１０１、・・・が順次読み出され、ディジタルデータＩＦ制御部１６に供給される。ディジタルデータＩＦ制御部１６では、再生端末装置２と所定の通信プロトコルのやり取りを行いながら、供給されたＡＶデータ１０１、１０１、・・・を再生端末装置２に転送する。再生端末装置２側では、転送されたＡＶデータ１０１、１０１、・・・を、再生端末装置２が有する記憶媒体２０に記憶する。リストＤに記述される全てのＡＶデータ１０１、１０１、・・・の転送が完了すると、一連の転送処理が終了される。
【００６８】
ＡＶデータ１０１の転送は、記録媒体１０に対する他のアクセスと並列的に行うことが可能である。ＡＶデータ１０１は、予め変換されて記録媒体１０に記録されているため、転送速度は遅くても構わない。したがって、例えば、記録媒体１０から視聴のためにＡＶデータ１００が読み出されている際の、デコード部１２でのデコード時間やバッファリング時間などにより生じる、デコード部１２による記録媒体１０に対するアクセスの空き時間を利用してデコーダ部１４により記録媒体１０にアクセスし、ＡＶデータ１０１を読み出すようにできる。
【００６９】
なお、上述ではディジタルデータＩＦ制御部１６は、再生端末装置２が接続されているか否かを検出する機能を有しているものとして説明したが、これはこの例に限らず、ディジタルデータＩＦ制御部１６が再生端末装置２の接続検出機能を有していない場合にも、同様にしてデータの転送処理を行うことができる。この場合には、例えばＡＶデータ１０１、１０１、・・・の転送開始を指示するためのＵＩを操作部１９に設ける。ユーザがディジタルデータＩＦ制御部１６に再生端末装置２を接続した後、この操作部１９に設けられたＵＩを操作することで、ＡＶデータ１０１、１０１、・・・のビデオレコーダ１から再生端末装置２への転送処理を開始させる。
【００７０】
次に、この発明の実施の一形態の変形例について、図面を参照しながら説明する。図１０は、この発明の実施の一形態の変形例によるビデオレコーダ１’の一例の構成を示す。なお、図１０において、上述の図２と共通する部位には同一の符号を付し、詳細な説明を省略する。
【００７１】
この実施の一形態の変形例では、エンコード部１５の出力先にＡＶデータバッファ３０を接続し、ＡＶデータバッファ３０の出力をディジタルデータＩＦ制御部１６に供給するようにしている。すなわち、エンコード部１５でエンコード処理されたＡＶデータ１０１は、ＡＶデータバッファ３０に一旦溜め込まれ、ディジタルデータＩＦ制御部１６に供給される。したがって、この実施の一形態の変形例では、ＡＶデータ１００の変換処理と、変換されたＡＶデータ１００の転送処理とが一連の処理として行われる。ＡＶデータバッファ３０としては、半導体メモリが用いられる。ＡＶデータバッファ３０として、記録媒体１０の一部の領域を用いることもできる。
【００７２】
図１１は、この実施の一形態の変形例によるＡＶデータ１００の変換および転送を行う一例の処理を示す。なお、図１１において、上述の図３と共通する処理には同一の符号を付し、詳細な説明を省略する。
【００７３】
このフローチャートの処理に先立って、ユーザは、図示されないＵＩを用いて、記録媒体１０に記録されているＡＶデータ１００、１００、・・・から再生端末装置２に転送するＡＶデータ１００を、予め指定しておく。また、ディジタルデータＩＦ制御部１６により、再生端末装置２がディジタルデータＩＦ制御部１６に対して接続されているか否かが検出される。若し接続されていなければ、この図１１の処理は実行されない。
【００７４】
なお、ディジタルデータＩＦ制御部１６が再生端末装置２の接続検出機能を有していない場合でも、この発明の実施の一形態で既に説明したように、ＡＶデータ１０１、１０１、・・・の転送開始を指示するためのＵＩを操作部１９に設け、以下に説明する処理の開始を、ユーザがこのＵＩを操作して指示することで、実施可能である。
【００７５】
転送するデータが指定され、再生端末装置２がディジタルデータＩＦ制御部１６に対して接続されていることが検出されれば、ステップＳ１０からの処理が開始される。ステップＳ１０で、ＣＰＵ１７により、ユーザにより転送が要求されたＡＶデータ１００のリスト（リストＡ）が取得される。次のステップＳ１１で、嗜好度が高く、且つ、未変換のＡＶデータ１００のリスト（リストＢ）が作成される。ステップＳ１２では、リストＡおよびリストＢがマージおよびソートされ、リストＣが作成される。ソートは、例えば、（１）ユーザが転送要求したデータ、（２）嗜好度の高いデータ、の順に行う。
【００７６】
リストＣが作成されると、リストＣの順序に従い、ＡＶデータ１００、１００、・・・の変換が開始される。ステップＳ１３で、リストＣに記述されている全てのＡＶデータ１００の変換および記録が終了したか否かが判断される。未変換のデータがあると判断されたら、処理は次のステップＳ１４’に移行する。ステップＳ１４’では、未変換のＡＶデータ１００がデコード部１４およびエンコード部１５で所定に変換されてＡＶデータ１０１とされ、変換されたＡＶデータ１０１がＡＶデータバッファ３０に溜め込まれる。このとき、変換元のＡＶデータ１００について、リストＣおよび当該ＡＶデータ１００のメタデータに付与されている変換フラグが「０」から「１」に変更される。
【００７７】
次のステップＳ１５で、ＡＶデータバッファ３０から溜め込まれたＡＶデータ１０１が読み出され、ディジタルデータＩＦ制御部１６に供給される。ディジタルデータＩＦ制御部１６は、供給されたＡＶデータ１０１を再生端末装置２に転送する。そして、処理はステップＳ１３に戻される。ＡＶデータ１００の変換処理および変換されたＡＶデータ１０１の転送処理は、ＡＶデータバッファ３０が溢れないように適切に制御される。
【００７８】
この発明の実施の一形態の変形例でも、記録媒体１０から読み出されたＡＶデータ１００をデコードする手段を、デコード部１４およびデコード部１２の２系統、有しているため、記録媒体１０に記録されたＡＶデータ１００をモニタ装置３で視聴中に、ＡＶデータ１００のＡＶデータ１０１への変換および再生端末装置２への転送を並列的に行うことができる。
【００７９】
なお、この発明の実施の一形態およびその変形例では、ユーザが指定したＡＶデータ１００と、嗜好度が高く且つ未変換のＡＶデータ１００とをＡＶデータ１０１に変換するようにしているが、これはこの例に限られず、変換するデータを、例えばユーザが指定したＡＶデータ１００だけに限定することもできる。
【００８０】
また、上述したこの発明の実施の一形態およびその変形例では、ディジタルデータＩＦ制御部１６が再生端末装置２の接続検出機能を有しているときには、当該機能を用いて再生端末装置２が接続されているか否かを判断した結果に基づきＡＶデータ１０１の転送処理を開始し、ディジタルデータＩＦ制御部１６が再生端末装置２の接続検出機能を有していないときには、ユーザがＵＩを用いて転送開始を指示するようにしているが、これはこの例に限定されない。例えば、ディジタルデータＩＦ制御部１６が再生端末装置２の接続検出機能を有している場合であっても、ユーザがＵＩを用いて転送開始を指示することが可能なようにできる。
【図面の簡単な説明】
【００８１】
【図１】この発明によるデータ転送システムの一例の構成を示すブロック図である。
【図２】この発明の実施の一形態によるビデオレコーダ１の一例の構成を示すブロック図である。
【図３】ＡＶデータを変換する一例の処理を示すフローチャートである。
【図４】ユーザにより転送が要求されたＡＶデータの一例のリストを示す略線図である。
【図５】嗜好度が高く、且つ、未変換のＡＶデータの一例のリストを示す略線図である。
【図６】変換するＡＶデータの一例のリストを示す略線図である。
【図７】変換処理を起動させる時刻を決めるための一例のアルゴリズムを示すフローチャートである。
【図８】録画予約リストＬｒｓｖの一例を示す略線図である。
【図９】変換され記録媒体に記録されたＡＶデータを、ディジタルデータＩＦ制御部を介して再生端末装置に転送する一例の処理を示すフローチャートである。
【図１０】この発明の実施の一形態の変形例によるビデオレコーダの一例の構成を示すブロック図である。
【図１１】この実施の一形態の変形例によるＡＶデータの変換および転送を行う一例の処理を示すフローチャートである。
【符号の説明】
【００８２】
１  ビデオレコーダ
２  再生端末装置
３  モニタ装置
１０  記録媒体
１２  デコード部
１４  デコード部
１５  エンコード部
１６  ディジタルデータＩＦ制御部
１７  ＣＰＵ
１８  メモリ
１９  操作部
２０  記憶媒体
３０  ＡＶデータバッファ
【図１】
2005176027.tif 000003
【図２】
2005176027.tif 000004
【図３】
2005176027.tif 000005
【図４】
2005176027.tif 000006
【図５】
2005176027.tif 000007
【図６】
2005176027.tif 000008
【図７】
2005176027.tif 000009
【図８】
2005176027.tif 000010
【図９】
2005176027.tif 000011
【図１０】
2005176027.tif 000012
【図１１】
2005176027.tif 000013
【手続補正書】
【提出日】平成17年2月25日(2005.2.25)
【手続補正１】
【補正対象書類名】特許請求の範囲
【補正対象項目名】全文
【補正方法】変更
【補正の内容】
【特許請求の範囲】
【請求項１】
記録媒体に記録されたＡＶデータを他の機器に転送するようにしたデータ記録装置において、
上記記録媒体から読み出された上記ＡＶデータをデコードする第１および第２のデコード手段と、
上記第２のデコード手段でデコードされた上記ＡＶデータをエンコードするエンコード手段と、
他の機器と通信を行うための通信手段と
を備え、
上記エンコード手段でエンコードされたＡＶデータを上記通信手段で上記他の機器に転送するようにしたことを特徴とするデータ記録装置。
【請求項２】
請求項１に記載のデータ記録装置において、
上記エンコード手段は、上記デコードされたＡＶデータを上記他の機器で再生可能な形式にエンコードするようにしたことを特徴とするデータ記録装置。
【請求項３】
請求項１に記載のデータ記録装置において、
上記エンコード手段でエンコードされたＡＶデータは、上記記録媒体に記録され、上記他の機器への上記転送の際に、該記録媒体から読み出されることを特徴とするデータ記録装置。
【請求項４】
請求項３に記載のデータ記録装置において、
上記通信手段は、上記他の機器と通信可能か否かを検出し、検出の結果、通信可能であると判断されたら自動的に上記転送を開始するようにしたことを特徴とするデータ記録装置。
【請求項５】
請求項３に記載のデータ記録装置において、
上記記録媒体から読み出された上記ＡＶデータを上記第２のデコード手段でデコードし、デコードされたデータを上記エンコード手段でエンコードする処理は、上記転送を要求するＡＶデータを指定するリストに基づき行われることを特徴とするデータ記録装置。
【請求項６】
請求項５に記載のデータ記録装置において、
ユーザが上記記録媒体に記録された上記ＡＶデータの中から上記転送を要求するＡＶデータを指定するための入力手段をさらに備え、
上記リストは、上記入力手段による指定に基づくことを特徴とするデータ記録装置。
【請求項７】
請求項５に記載のデータ記録装置において、
上記記録媒体に記録された上記ＡＶデータそれぞれの嗜好度を求める嗜好度算出手段をさらに備え、
上記リストは、さらに、上記嗜好度算出手段により算出された上記嗜好度に基づくことを特徴とするデータ記録装置。
【請求項８】
請求項７に記載のデータ記録装置において、
上記嗜好度算出手段での嗜好度は、上記ＡＶデータのメタデータに含まれるキーワードに対して、視聴履歴に基づき重み付けを行うことで求められることを特徴とするデータ記録装置。
【請求項９】
請求項７に記載のデータ記録装置において、
上記嗜好度算出手段での嗜好度は、ユーザにより指定されたキーワードに対して重み付けを行うことで求められることを特徴とするデータ記録装置。
【請求項１０】
請求項５に記載のデータ記録装置において、
上記記録媒体から上記ＡＶデータを読み出し、読み出された該ＡＶデータを上記第２のデコード手段により上記デコードし、上記エンコード手段により上記エンコードし、上記記録媒体へ記録する処理は、上記リストに基づき策定されたスケジュールに従って行うようにしたことを特徴とするデータ記録装置。
【請求項１１】
請求項１０に記載のデータ記録装置において、
上記スケジュールは、上記記録媒体に対して記録が予約された時間帯と、上記リストで指定される上記ＡＶデータの総再生時間とに基づき策定されることを特徴とするデータ記録装置。
【請求項１２】
請求項１に記載のデータ記録装置において、
ＡＶデータを一時的に記憶するバッファ手段をさらに有し、
上記エンコード手段でエンコードされたＡＶデータは、上記バッファ手段を介して上記通信手段に供給され、上記他の機器へ転送されることを特徴とするデータ記録装置。
【請求項１３】
請求項１２に記載のデータ記録装置において、
上記記録媒体から読み出された上記ＡＶデータを上記第２のデコード手段でデコードし、デコードされたデータを上記エンコード手段でエンコードする処理は、上記転送を要求するＡＶデータを指定するリストに基づき行われることを特徴とするデータ記録装置。
【請求項１４】
請求項１３に記載のデータ記録装置において、
ユーザが上記記録媒体に記録された上記ＡＶデータの中から上記転送を要求するＡＶデータを指定するための入力手段をさらに備え、
上記リストは、上記入力手段による指定に基づくことを特徴とするデータ記録装置。
【請求項１５】
請求項１３に記載のデータ記録装置において、
上記記録媒体に記録された上記ＡＶデータそれぞれの嗜好度を求める嗜好度算出手段をさらに備え、
上記リストは、さらに、上記嗜好度算出手段により算出された上記嗜好度に基づくことを特徴とするデータ記録装置。
【請求項１６】
記録媒体に記録されたＡＶデータを他の機器に転送するようにしたデータ転送方法において、
ＡＶデータが記録される記録媒体から上記ＡＶデータを読み出して第１のデコード手段でデコードするステップと、
上記記録媒体から上記ＡＶデータを読み出して第２のデコード手段でデコードするステップと、
上記第２のデコード手段でデコードされた上記ＡＶデータをエンコードするエンコードのステップと、
他の機器と通信を行うための通信のステップと
を備え、
上記エンコードのステップでエンコードされたＡＶデータを上記通信のステップで上記他の機器に転送するようにしたことを特徴とするデータ転送方法。
【請求項１７】
記録媒体に記録されたＡＶデータを他の機器に転送するようにしたデータ転送方法をコンピュータ装置に実行させるデータ転送プログラムにおいて、
上記データ転送方法は、
ＡＶデータが記録される記録媒体から上記ＡＶデータを読み出して第１のデコード手段でデコードするステップと、
上記記録媒体から上記ＡＶデータを読み出して第２のデコード手段でデコードするステップと、
上記第２のデコード手段でデコードされた上記ＡＶデータをエンコードするエンコードのステップと、
他の機器と通信を行うための通信のステップと
を備え、
上記エンコードのステップでエンコードされたＡＶデータを上記通信のステップで上記他の機器に転送するようにされている
ことを特徴とするデータ転送プログラム。
【請求項１８】
記録媒体に記録されたＡＶデータを他の機器に転送するようにしたデータ転送方法をコンピュータ装置に実行させるデータ転送プログラムが記録されたコンピュータ装置に読み取り可能な記録媒体において、
上記データ転送方法は、
ＡＶデータが記録される記録媒体から上記ＡＶデータを読み出して第１のデコード手段でデコードするステップと、
上記記録媒体から上記ＡＶデータを読み出して第２のデコード手段でデコードするステップと、
上記第２のデコード手段でデコードされた上記ＡＶデータをエンコードするエンコードのステップと、
他の機器と通信を行うための通信のステップと
を備え、
上記エンコードのステップでエンコードされたＡＶデータを上記通信のステップで上記他の機器に転送するようにされている
ことを特徴とする記録媒体。
【請求項１９】
記録媒体に記録されたＡＶデータを他の機器に転送するようにしたデータ転送システムにおいて、
上記記録媒体から読み出された上記ＡＶデータをデコードする第１および第２のデコード手段と、
上記第２のデコード手段でデコードされた上記ＡＶデータをエンコードするエンコード手段と、
他の機器と通信を行うための第１の通信手段と
を有するデータ記録装置と、
上記第１の通信手段と通信可能な第２の通信手段と、
ＡＶデータを記憶する記憶手段と、
上記記憶手段から読み出された上記ＡＶデータをデコードする第３のデコード手段と
を有するデータ再生装置と
を備え、
上記データ記録装置は、上記エンコード手段でエンコードされたＡＶデータを上記第１の通信手段で転送し、上記データ再生装置は、該転送されたＡＶデータを上記第２の通信手段で受信して上記記憶手段に記憶するようにしたことを特徴とするデータ転送システム。
【請求項２０】
請求項１９に記載のデータ転送システムにおいて、
上記エンコード手段は、上記デコードされたＡＶデータを上記第３のデコード手段でデコード可能な形式にエンコードするようにしたことを特徴とするデータ転送システム。
【請求項２１】
請求項１９に記載のデータ転送システムにおいて、
上記エンコード手段でエンコードされたＡＶデータは、上記記録媒体に記録され、上記データ記録装置から上記データ再生装置への上記転送の際に、該記録媒体から読み出されることを特徴とするデータ転送システム。
【請求項２２】
請求項２１に記載のデータ転送システムにおいて、
上記第１の通信手段は、上記第２の通信手段と通信可能か否かを検出し、検出の結果、通信可能であると判断されたら自動的に上記転送を開始するようにしたことを特徴とするデータ転送システム。
【請求項２３】
請求項２１に記載のデータ転送システムにおいて、
上記記録媒体から読み出された上記ＡＶデータを上記第２のデコード手段でデコードし、デコードされたデータを上記エンコード手段でエンコードする処理は、上記転送を要求するＡＶデータを指定するリストに基づき行われることを特徴とするデータ転送システム。
【請求項２４】
請求項２３に記載のデータ転送システムにおいて、
上記データ記録装置は、
ユーザが上記記録媒体に記録された上記ＡＶデータの中から上記転送を要求するＡＶデータを指定するための入力手段をさらに備え、
上記リストは、上記入力手段による指定に基づくことを特徴とするデータ転送システム。
【請求項２５】
請求項２３に記載のデータ転送システムにおいて、
上記データ記録装置は、
上記記録媒体に記録された上記ＡＶデータそれぞれの嗜好度を求める嗜好度算出手段をさらに備え、
上記リストは、さらに、上記嗜好度算出手段により算出された上記嗜好度に基づくことを特徴とするデータ転送システム。
【請求項２６】
請求項２５に記載のデータ転送システムにおいて、
上記嗜好度算出手段での嗜好度は、上記ＡＶデータのメタデータに含まれるキーワードに対して、視聴履歴に基づき重み付けを行うことで求められることを特徴とするデータ転送システム。
【請求項２７】
請求項２５に記載のデータ転送システムにおいて、
上記嗜好度算出手段での嗜好度は、ユーザにより指定されたキーワードに対して重み付けを行うことで求められることを特徴とするデータ転送システム。
【請求項２８】
請求項２３に記載のデータ転送システムにおいて、
上記記録媒体から上記ＡＶデータを読み出し、読み出された該ＡＶデータを上記第２のデコード手段により上記デコードし、上記エンコード手段により上記エンコードし、上記記録媒体へ記録する処理は、上記リストに基づき策定されたスケジュールに従って行うようにしたことを特徴とするデータ転送システム。
【請求項２９】
請求項２８に記載のデータ転送システムにおいて、
上記スケジュールは、上記記録媒体に対して記録が予約された時間帯と、上記リストで指定される上記ＡＶデータの総再生時間とに基づき策定されることを特徴とするデータ転送システム。
【請求項３０】
請求項１９に記載のデータ転送システムにおいて、
上記データ記録装置は、
ＡＶデータを一時的に記憶するバッファ手段をさらに有し、
上記エンコード手段でエンコードされたＡＶデータは、上記バッファ手段を介して上記第１の通信手段に供給され、上記データ再生装置へ転送されることを特徴とするデータ転送システム。
【請求項３１】
請求項３０に記載のデータ転送システムにおいて、
上記記録媒体から読み出された上記ＡＶデータを上記第２のデコード手段でデコードし、デコードされたデータを上記エンコード手段でエンコードする処理は、上記転送を要求するＡＶデータを指定するリストに基づき行われることを特徴とするデータ転送システム。
【請求項３２】
請求項３１に記載のデータ転送システムにおいて、
上記データ記録装置は、
ユーザが上記記録媒体に記録された上記ＡＶデータの中から上記転送を要求するＡＶデータを指定するための入力手段をさらに備え、
上記リストは、上記入力手段による指定に基づくことを特徴とするデータ転送システム。
【請求項３３】
請求項３１に記載のデータ転送システムにおいて、
上記データ記録装置は、
上記記録媒体に記録された上記ＡＶデータそれぞれの嗜好度を求める嗜好度算出手段をさらに備え、
上記リストは、さらに、上記嗜好度算出手段により算出された上記嗜好度に基づくことを特徴とするデータ転送システム。
【手続補正２】
【補正対象書類名】明細書
【補正対象項目名】００１１
【補正方法】変更
【補正の内容】
【００１１】
請求項１に記載の発明は、上述した課題を解決するために、記録媒体に記録されたＡＶデータを他の機器に転送するようにしたデータ記録装置において、記録媒体から読み出されたＡＶデータをデコードする第１および第２のデコード手段と、第２のデコード手段でデコードされたＡＶデータをエンコードするエンコード手段と、他の機器と通信を行うための通信手段とを備え、エンコード手段でエンコードされたＡＶデータを通信手段で他の機器に転送するようにしたことを特徴とするデータ記録装置である。
【手続補正３】
【補正対象書類名】明細書
【補正対象項目名】００１２
【補正方法】変更
【補正の内容】
【００１２】
また、請求項１６に記載の発明は、記録媒体に記録されたＡＶデータを他の機器に転送するようにしたデータ転送方法において、ＡＶデータが記録される記録媒体からＡＶデータを読み出して第１のデコード手段でデコードするステップと、記録媒体からＡＶデータを読み出して第２のデコード手段でデコードするステップと、第２のデコード手段でデコードされたＡＶデータをエンコードするエンコードのステップと、他の機器と通信を行うための通信のステップとを備え、エンコードのステップでエンコードされたＡＶデータを通信のステップで他の機器に転送するようにしたことを特徴とするデータ転送方法である。
【手続補正４】
【補正対象書類名】明細書
【補正対象項目名】００１３
【補正方法】変更
【補正の内容】
【００１３】
また、請求項１７に記載の発明は、記録媒体に記録されたＡＶデータを他の機器に転送するようにしたデータ転送方法をコンピュータ装置に実行させるデータ転送プログラムにおいて、データ転送方法は、ＡＶデータが記録される記録媒体からＡＶデータを読み出して第１のデコード手段でデコードするステップと、記録媒体からＡＶデータを読み出して第２のデコード手段でデコードするステップと、第２のデコード手段でデコードされたＡＶデータをエンコードするエンコードのステップと、他の機器と通信を行うための通信のステップとを備え、エンコードのステップでエンコードされたＡＶデータを通信のステップで他の機器に転送するようにされていることを特徴とするデータ転送プログラムである。
【手続補正５】
【補正対象書類名】明細書
【補正対象項目名】００１４
【補正方法】変更
【補正の内容】
【００１４】
また、請求項１８に記載の発明は、記録媒体に記録されたＡＶデータを他の機器に転送するようにしたデータ転送方法をコンピュータ装置に実行させるデータ転送プログラムが記録されたコンピュータ装置に読み取り可能な記録媒体において、データ転送方法は、ＡＶデータが記録される記録媒体からＡＶデータを読み出して第１のデコード手段でデコードするステップと、記録媒体からＡＶデータを読み出して第２のデコード手段でデコードするステップと、第２のデコード手段でデコードされたＡＶデータをエンコードするエンコードのステップと、他の機器と通信を行うための通信のステップとを備え、エンコードのステップでエンコードされたＡＶデータを通信のステップで他の機器に転送するようにされていることを特徴とする記録媒体である。
【手続補正６】
【補正対象書類名】明細書
【補正対象項目名】００１５
【補正方法】変更
【補正の内容】
【００１５】
また、請求項１９に記載の発明は、記録媒体に記録されたＡＶデータを他の機器に転送するようにしたデータ転送システムにおいて、記録媒体から読み出されたＡＶデータをデコードする第１および第２のデコード手段と、第２のデコード手段でデコードされたＡＶデータをエンコードするエンコード手段と、他の機器と通信を行うための第１の通信手段とを有するデータ記録装置と、第１の通信手段と通信可能な第２の通信手段と、ＡＶデータを記憶する記憶手段と、記憶手段から読み出されたＡＶデータをデコードする第３のデコード手段とを有するデータ再生装置とを備え、データ記録装置は、エンコード手段でエンコードされたＡＶデータを第１の通信手段で転送し、データ再生装置は、転送されたＡＶデータを第２の通信手段で受信して記憶手段に記憶するようにしたことを特徴とするデータデータ転送システムである。
【手続補正７】
【補正対象書類名】明細書
【補正対象項目名】００１６
【補正方法】変更
【補正の内容】
【００１６】
上述したように、請求項１および請求項１６に記載の発明は、記録媒体から読み出されたＡＶデータをデコードする手段を第１のデコード手段および第２のデコード手段の２系統有し、第２のデコード手段でデコードされたＡＶデータをエンコードして他の機器に転送するようにしているため、記録媒体に記録されたＡＶデータを第１のデコード手段でデコードして視聴しながら、記録媒体に記録されたＡＶデータの第２のデコード手段によるデコードや、第２のデコード手段によりデコードされた後さらにエンコードされたＡＶデータの他の機器への転送を行うことができる。
【手続補正８】
【補正対象書類名】明細書
【補正対象項目名】００１７
【補正方法】変更
【補正の内容】
【００１７】
また、請求項１７および請求項１８に記載の発明は、記録媒体から読み出されたＡＶデータを第１のデコード手段でデコードするステップと第２のデコード手段でデコードするステップとを有し、第２のデコード手段でデコードされたＡＶデータをエンコードして他の機器に転送するようにしているため、記録媒体に記録されたＡＶデータを第１のデコード手段でデコードして視聴しながら、記録媒体に記録されたＡＶデータの第２のデコード手段によるデコードや、第２のデコード手段によりデコードされた後さらにエンコードされたＡＶデータの他の機器への転送をコンピュータ装置に行わせることができる。
【手続補正９】
【補正対象書類名】明細書
【補正対象項目名】００１８
【補正方法】変更
【補正の内容】
【００１８】
また、請求項１９に記載の発明は、記録媒体から読み出されたＡＶデータをデコードする手段を第１のデコード手段および第２のデコード手段の２系統有し、第２のデコード手段でデコードされたＡＶデータをエンコードして第１の通信手段でデータ再生装置に転送するデータ記録装置と、第１の通信手段と通信可能な第２の通信手段を有し、記憶手段から読み出されたＡＶデータを第３のデコード手段でデコードするようにしたデータ再生装置とからなり、データ記録装置は、エンコード手段でエンコードされたＡＶデータを第１の通信手段で転送し、データ再生装置は、転送されたＡＶデータを第２の通信手段で受信して記憶手段に記憶するようにしているため、データ記録装置では、記録媒体に記録されたＡＶデータの第２のデコード手段によるデコードや、第２のデコード手段によりデコードされた後さらにエンコードされたＡＶデータのデータ再生装置への転送を行うことができ、データ再生装置では、データ記録装置から転送されたＡＶデータを記憶手段から読み出してデコードし、視聴することができる。